【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
第１のネットワークにおいてビームスイープを実施するための周期性を調節すること、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記第１のネットワークより低いキャリア周波数を有する第２のネットワークにおいて、ビームスイープを実施するための前記調節された周期性を示す情報を送ることと、
前記調節された周期性で前記ビームスイープを実施することと
を備える、方法。
【請求項２】
前記調節された周期性を示す前記情報は、前記第２のネットワークを介してシステム情報として送られる、
請求項１に記載の方法。
【請求項３】
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値未満であるとき、前記ビームスイープを実施する前記周期性を増大させることによって調節される、または、
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値よりも大きいとき、前記ビームスイープを実施する前記周期性を低下させることによって調節される、
請求項１に記載の方法。
【請求項４】
前記周期性は、前記ＵＥのハンドオフ状態に基づいて調節され、前記方法は、前記基地局がハンドオフ中に別の基地局からＵＥを受け入れているとき、前記ビームスイープを実施する前記周期性を増大させることをさらに備える、または、
前記周期性は、前記ＵＥのハンドオフ状態に基づいて調節され、前記方法は、前記基地局がハンドオフ中に別の基地局から前記ＵＥを正常に受け入れた後、前記ビームスイープを実施する前記周期性を低下させることをさらに備える、または、
前記周期性は、前記基地局が、ＵＥにサービスする可能性があり得る基地局のセットに関連付けられているかどうかに基づいて調節され、前記方法は、前記基地局が、ＵＥにサービスする可能性があり得る基地局のいずれかのセットに関連付けられているとき、前記ビームスイープを実施する前記周期性を増大させることをさらに備える、または、
前記周期性は、前記基地局が、ＵＥにサービスする可能性があり得る基地局のセットに関連付けられているかどうかに基づいて調節され、前記方法は、前記基地局が、いずれかのＵＥにサービスを提供するための基地局のどのセットにも関連付けられていないとき、前記ビームスイープを実施する前記周期性を低下させることをさらに備える、
請求項１に記載の方法。
【請求項５】
前記基地局は、ＵＥのセットにサービスし、前記ビームスイープを前記実施することは、前記ＵＥのセットにｍ個のビームを送信することを備え、各ビームは、前記基地局のｍ個の異なる送信空間的方向のうちの１つの送信空間的方向で送信される、
請求項１に記載の方法。
【請求項６】
前記基地局は、ＵＥにサービスし、前記ビームスイープを前記実施することは、前記ＵＥからのｎ個のビームを求めてスキャンすることを備え、各ビームは、前記ＵＥのｎ個の異なる送信空間的方向のうちの、ある異なる送信空間的方向に関連付けられる、および、オプションとして、
前記ビームスイープは、第１のネットワークにおいて実施され、前記方法は、
前のビームスイープに基づいて、前記ＵＥと前記基地局との間のチャネル品質を測定することと、
前記チャネル品質を示す情報を管理ノードに送ることと、
それに合わせて調節するべき前記周期性を示す情報を前記管理ノードから受信すること、前記周期性を示す前記情報は、前記測定されたチャネル品質に基づき、前記周期性は、前記周期性を示す前記受信された情報に基づいて調節される、と
をさらに備える、請求項１に記載の方法。
【請求項７】
前記ビームスイープは、第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、請求項１に記載の方法。
【請求項８】
ユーザ機器（ＵＥ）のワイヤレス通信の方法であって、
第１のネットワークにおいてビームスイープを実施するための周期性を示す情報を受信すること、前記情報は、前記第１のネットワークより低いキャリア周波数を有する第２のネットワークにおいて基地局から受信される、と、
前記ビームスイープを実施するための前記周期性を調節すること、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施することと
を備える、方法。
【請求項９】
前記調節された周期性を示す前記情報は、前記第２のネットワークを介してシステム情報として受信される、
請求項８に記載の方法。
【請求項１０】
前記ビームスイープを前記実施することは、前記基地局にｎ個のビームを送信することを備え、各ビームは、前記ＵＥのｎ個の異なる送信空間的方向のうちの１つの送信空間的方向で送信される、
請求項８に記載の方法。
【請求項１１】
前記ビームスイープを前記実施することは、前記基地局からのｍ個のビームを求めてスキャンすることを備え、各ビームは、前記基地局のｍ個の異なる送信空間的方向のうちの、ある異なる送信空間的方向に関連付けられる、および、オプションとして、
前記方法は、
前のビームスイープに基づいて、前記基地局と前記ＵＥとの間のチャネル品質を測定することと、
前記チャネル品質を示す情報を前記基地局に送ること、前記情報は管理ノードに向けられ、前記周期性を示す前記受信された情報は、前記チャネル品質を示す前記送られた情報に基づく、と
をさらに備える、
請求項８に記載の方法。
【請求項１２】
前記ビームスイープは第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、請求項８に記載の方法。
【請求項１３】
ワイヤレス通信のための装置であって、前記装置は、基地局であり、
第１のネットワークにおいてビームスイープを実施するための周期性を調節するための手段、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記第１のネットワークより低いキャリア周波数を有する第２のネットワークにおいて、ビームスイープを実施するための前記調節された周期性を示す情報を送るための手段と、
前記調節された周期性で前記ビームスイープを実施するための手段と
を備える装置。
【請求項１４】
ワイヤレス通信のための装置であって、前記装置はユーザ機器（ＵＥ）であり、
第１のネットワークにおいてビームスイープを実施するための周期性を示す情報を受信するための手段、前記情報は、前記第１のネットワークより低いキャリア周波数を有する第２のネットワークにおいて基地局から受信される、と、
前記ビームスイープを実施するための前記周期性を調節するための手段、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施するための手段と
を備える、装置。
【請求項１５】
コンピュータ可読媒体であって、コンピュータによって実行されると、前記コンピュータに、請求項１から１２のうちのいずれか一項に記載の方法を実行させる命令を備える、コンピュータ可読媒体。